(57)【要約】【課題】天窓の小口に雨水が入ることがなく、ガラス板の小口にひび割れあるいは過大な衝撃力、圧縮力が作用して破損することがなく、かつ工法が容易で安価にして汎用性の高い天窓を提供する。【解決手段】台座部にセッティングブロックが載置され、ガラス板の端部がそれぞれの第１の小空間部に開口部を介して挿入され、セッティングブロック上に載置されて位置が設定された構造、ガラス板を押さえて、およびシール部形成空間を形成する押え部がセッティングブロックとガラス板を介して対峙する形で設けられる構造、ガラス板の端部と、抑え部と、押え部が一体に、シール材によってシール部が形成されて固定密着される構造を有して、ガラス板が抑え部とセッティングブロック間を側方向に微小変位することを許容するようにした。【選択図】図２
2008014024.tif 000002
【特許請求の範囲】
【請求項１】
天枠、タテ枠および下枠からなって方形状に配設され、受梁に固定される枠体および該枠体に固定部材によって固定されるガラス板を有して構成される天窓において、
前記枠体の内の天枠およびタテ枠のそれぞれは、ガラス板方向である側方向および上下方向の部材が一体化される枠体形状体によって形成され、該枠体形状体には、側方向から前記ガラス板が側方向および上下方向に余裕を持って開口部から挿入されることを許容する空間を備えた第１の小空間部と、該第1の小空間部に連通し、下方に底部が形成されて樋を形成する第２の小空間部を有する第一空間枠部、第一空間枠部から画割され前記受梁に固定されることになる第二空間枠部、側方向の部材で形成される抑え部、並びに上方向の部材およびこの部材が側方向の部材に一体になることによって頂上に第２の小空間部に隣接し、前記抑え部に対峙した台座部が形成され、
前記台座部にセッティングブロックが載置され、
前記ガラス板の端部がそれぞれの第１の小空間部に前記開口部を介して挿入され、前記セッティングブロック上に載置されて位置が設定され、該ガラス板が該セッティングブロックのみで保持される構造、前記ガラス板を押さえて、およびシール部形成空間を形成する押え部が前記セッティングブロックと前記ガラス板を介して対峙する形で設けられる構造、前記ガラス板の端部と、前記抑え部と、前記押え部が一体に、前記固定部材となるシール材によって前記シール部形成空間にシール部が形成されて固定密着される構造を有して、前記ガラス板が前記抑え部と前記セッティングブロック間を側方向に微小変位することを許容するようにしたこと
を特徴とする天窓。
【請求項２】
天枠、タテ枠および下枠からなって方形状に配設され、受梁に固定される枠体および該枠体に固定部材によって固定されるガラス板を有して構成される天窓において、
前記枠体の内の天枠およびタテ枠のそれぞれは、連続する板材がガラス板方向である側方向および上下方向に折り曲げられることによって形成され、側方向から前記ガラス板が側方向および上下方向に余裕を持って開口部から挿入されることを許容する空間を備えた第１の小空間部と、該第1の小空間部に連通し、下方に底部が形成されて樋を形成する第２の小空間部を有する第一空間枠部、板状材によって第一空間枠部から画割され前記受梁に固定されることになる第二空間枠部、側方向に折り曲げられた部分で形成される板状の抑え部、並びに上方向に折り曲げられた部分およびこの部材が更に側方向に折り曲げられることによって頂上に第２の小空間部に隣接し、前記抑え部に対峙した台座部が形成され、
前記台座部にセッティングブロックが載置され、
前記ガラス板の端部がそれぞれの第１の小空間部に前記開口部を介して挿入され、前記セッティングブロック上に載置されて位置が設定された、該ガラス板が該セッティングブロックのみで保持される構造、前記ガラス板を押さえて、およびシール部形成空間を形成する押え部が前記セッティングブロックと前記ガラス板を介して対峙する形で設けられる構造、前記ガラス板の端部と、前記抑え部と、前記押え部が一体に、前記固定部材となるシール材によって前記シール部形成空間にシール部が形成されて固定密着される構造を有して、前記ガラス板が前記抑え部と前記セッティングブロック間を側方向に微小変位することを許容するようにしたこと
を特徴とする天窓。
【請求項３】
請求項１または２において、前記押え部は、前記セッティングブロックよりも弾性のある押えブロックで構成され、該押えブロックは前記ガラス板と前記抑え部との間に嵌挿されることを特徴とする天窓。
【請求項４】
請求項２または３において、前記枠体の内の下枠は、連続する板状材が側方向および上下方向に折り曲げられることによって形成され、側方向から前記ガラス板が側方向および上下方向に余裕を持って他の開口部から挿入されることを許容する空間を備えた第３の小空間部と、該第３の小空間部に連通し、下方に底部が形成されて樋を形成する第４の小空間部とを有する第三空間枠部、板状材によって区割され前記受梁に固定されることになる第四空間枠部、並びに上方向に折り曲げられた部分およびこの部分が更に側方向に折り曲げられることによって頂上に第４の小空間部に隣接して第２の台座部が形成され、
第四空間枠部に保持される第２の抑え部および該抑え部と前記ガラス板の端部との間に設けられて前記ガラス板を押さえる第２の押え部を備え、
前記第２の台座部に第２のセッティングブロックが載置され、
前記ガラス板の端部が第３の小空間部に前記開口部を介して挿入され、第２セッティングブロック上に載置されて位置が設定される構造、前記ガラス板を押さえて、およびシール部形成空間を形成する第２の押え部が第２のセッティングブロックと前記ガラス板を介して対峙する形で設けられる構造、前記ガラス板の他の端部と、第２の抑え部と、第２の押え部とが一体に、前記固定部材となるシール材によって第２のシール部が形成されて固定密着される構造を有して、前記ガラス板が第２の抑え部と第２のセッティングブロック間を側方向に微小変位することを許容するようにしたこと
を特徴とする天窓。
【請求項５】
請求項４において、該第２の押え部は複数の押えブロックからなって該押えブロック間に雨通路部が形成されることを特徴とする天窓。
【請求項６】
請求項５において、前記ガラス板の一方とこれに並行配置される他方のガラス板とを接続する部分で使用される中間枠は、連続する板状材が側方向および上下方向に折り曲げられることによって形成され、下方に底部が形成されて樋を形成する第５の小空間部を有する第五空間枠部、板状材によって区割された第六空間枠部、並びに上方向に折り曲げられた部品およびこの部分が更に側方向に折り曲げられることによって頂上に、第５の小空間部に隣接して対峙する２つの台座部が形成され、
前記タテ枠によって保持される第３の抑え部および該第３の抑え部と、前記ガラス板の一方および他方の端部との間に設けられて、前記ガラス板を押さえる第３の押え部を備え、
前記２つの台座部を跨いで第３のセッティングブロックが載置され、
該第３のセッティングブロックの上に前記一方および他方のガラス板が載置されて位置が設定された構造、前記ガラス板を押さえて、およびシール部形成空間を形成する第３の押え部が第３のセッティングブロックと前記ガラス板を介して対峙する形で設けられる構造、前記一方および他方のガラス板と第３のセッティングブロックとが、一体に、シール材によって第３のシール部が形成されて固定密着される構造を有して、前記ガラス板が第３の抑え部と、第３のセッティングブロック間を側方向に微小変位することを許容すること
を特徴とする天窓。
【請求項７】
請求項６において、該第３の押え部は複数の抑えブロックからなって該複数の押えブロック間に雨通路部が形成されることを特徴とする天窓。
【発明の詳細な説明】
【技術分野】
【０００１】
本発明は、天窓に関する。
【背景技術】
【０００２】
ジッパーガスケットを使用し、ガラス板を取り付ける構造の天窓が知られている。
また、特許文献１には、略Ｌ型のサツシ枠本体に押縁によりグレージングビードを介してガラス板を嵌装した構造において、上記押縁における上記サツシ枠本体奥壁への装着片に、上記ガラス板の延長線上に位置させてガラス板移動規制突起を設けたことを特徴とするサツシ枠のガラス板固定構造が記載されている。
【０００３】
また、本願の出願人は、特許文献２に記載される天窓および天窓の取付構造について出願を行った。この特許文献３には、例えば、段差が形成されたほぼ長方形の縦断面形状になるようにした板材の曲げ加工によるものであって、板端が低部になるようにして加工、配置された枠材部と、前記段差に載置したクッションと、シールと、押え帯板と、および固着手段とによって枠材が構成され、該枠材が四方に配置されて一体化され、対峙する枠材部に形成された段差はそれぞれ間隔を置いて対峙配置されて四角形状のメイン枠材が構成され、前記対峙配置された両段差にそれぞれ前記クッション材を載置して該クッション材の上に載置する形で前記間隔に硝子板を載置し、前記硝子板と各段差の側壁との間に前記シールを配置し、該シールおよび前記硝子板を押圧するシール押え帯板を各段差の領域で前記枠材部に固着手段によって固定し、以って全体形状がほぼ直方体状とされて運搬可能とされたことを特徴とする天窓が記載されている。
特許文献３には、ガラス板施行用セッティングブロックについての記載がある。
【０００４】
【特許文献１】実開昭５７−１１９０８５号公報
【特許文献２】特開２００６−１１８１４５号公報
【特許文献３】特願昭６２−２８８２８３号公報
【発明の開示】
【発明が解決しようとする課題】
【０００５】
天窓のガラス板工事は、日本建築学会の建築工事標準仕様書ガラス工事ＪＡＳＳ１７に基づく設計を指針として実施されることが求められる。これによれば、天窓のガラス板、例えばアミ入ガラス板は、どのようなフレーム材で支持しようと、ガラス板の小口に雨水の濡れが一切入ってはならない。少しでも雨水に濡れると、ガラス板の小口に露出している細い鉄アミに錆が生じ、この錆による膨張力でガラス板の小口にひび割れが生じて破損の原因となる。
【０００６】
また、天窓のガラス板、例えばアミ入ガラス板は、どのようなフレーム材で支持しようと、ガラス板の小口にシリコンシール材のように軟いシール材以外の他の硬い材質のレーム等に直接させることは避けなければならない。これは、もし地震時等でガラス板支持フレームに過大な衝撃力が生じると、ガラス板は別材質であるフレームからの反力によって小口割れが生じる恐れがあるためであり、これに基因して圧縮力でガラス板が破損するおそれがある。水平に支持されたガラス板は、どの方向からの水平力に対してもガラス板の小口は常に微小変位を許すような状態にして、他の硬い材質の部材にガラス板の小口を直接に接触させることは避けなければならない。
また、数多く製作されるためには、工法が容易で安価な天窓であることが求められることになる。
【０００７】
本発明は、かかる点に鑑み天窓の小口に雨水が入ることがなく、ガラス板の小口にひび割れあるいは過大な衝撃力、圧縮力が作用して破損することのない汎用性の高い天窓を提供することを目的とする。また、本発明は、板状材を使用することによって工法が容易で軽量かつ安価にして更に汎用性を高めた天窓を提供することを目的とする。
【課題を解決するための手段】
【０００８】
本発明は、天枠、タテ枠および下枠からなって方形状に配設され、受梁に固定される枠体および該枠体に固定部材によって固定されるガラス板を有して構成される天窓において、
前記枠体の内の天枠およびタテ枠のそれぞれは、ガラス板方向である側方向および上下方向の部材が一体化される枠体形状体によって形成され、該枠体形状体には、側方向から前記ガラス板が側方向および上下方向に余裕を持って開口部から挿入されることを許容する空間を備えた第１の小空間部と、該第1の小空間部に連通し、下方に底部が形成されて樋を形成する第２の小空間部を有する第一空間枠部、第一空間枠部から画割され前記受梁に固定されることになる第二空間枠部、側方向の部材で形成される抑え部、並びに上方向の部材およびこの部材が側方向の部材に一体になることによって頂上に第２の小空間部に隣接し、前記抑え部に対峙した台座部が形成され、
前記台座部にセッティングブロックが載置され、
前記ガラス板の端部がそれぞれの第１の小空間部に前記開口部を介して挿入され、前記セッティングブロック上に載置されて位置が設定され、該ガラス板が該セッティングブロックのみで保持される構造、前記ガラス板を押さえて、およびシール部形成空間を形成する押え部が前記セッティングブロックと前記ガラス板を介して対峙する形で設けられる構造、前記ガラス板の端部と、前記抑え部と、前記押え部が一体に、前記固定部材となるシール材によって前記シール部形成空間にシール部が形成されて固定密着される構造を有して、前記ガラス板が前記抑え部と前記セッティングブロック間を側方向に微小変位することを許容するようにしたこと
を特徴とする天窓を提供する。
【０００９】
また、本発明は、天枠、タテ枠および下枠からなって方形状に配設され、受梁に固定される枠体および該枠体に固定部材によって固定されるガラス板を有して構成される天窓において、
前記枠体の内の天枠およびタテ枠のそれぞれは、連続する板材がガラス板方向である側方向および上下方向に折り曲げられることによって形成され、側方向から前記ガラス板が側方向および上下方向に余裕を持って開口部から挿入されることを許容する空間を備えた第１の小空間部と、該第1の小空間部に連通し、下方に底部が形成されて樋を形成する第２の小空間部を有する第一空間枠部、板状材によって第一空間枠部から画割され前記受梁に固定されることになる第二空間枠部、側方向に折り曲げられた部分で形成される板状の抑え部、並びに上方向に折り曲げられた部分およびこの部材が更に側方向に折り曲げられることによって頂上に第２の小空間部に隣接し、前記抑え部に対峙した台座部が形成され、
前記台座部にセッティングブロックが載置され、
前記ガラス板の端部がそれぞれの第１の小空間部に前記開口部を介して挿入され、前記セッティングブロック上に載置されて位置が設定された、該ガラス板が該セッティングブロックのみで保持される構造、前記ガラス板を押さえて、およびシール部形成空間を形成する押え部が前記セッティングブロックと前記ガラス板を介して対峙する形で設けられる構造、前記ガラス板の端部と、前記抑え部と、前記押え部が一体に、前記固定部材となるシール材によって前記シール部形成空間にシール部が形成されて固定密着される構造を有して、前記ガラス板が前記抑え部と前記セッティングブロック間を側方向に微小変位することを許容するようにしたこと
を特徴とする天窓を提供する。
【００１０】
また、本発明は、前記天窓において、前記押え部は、前記セッティングブロックよりも弾性のある押えブロックで構成され、該押えブロックは前記ガラス板と前記抑え部との間に嵌挿されることを特徴とする天窓を提供する。
【００１１】
また、本発明は、前記天窓において、前記枠体の内の下枠は、連続する板状材が側方向および上下方向に折り曲げられることによって形成され、側方向から前記ガラス板が側方向および上下方向に余裕を持って他の開口部から挿入されることを許容する空間を備えた第３の小空間部と、該第３の小空間部に連通し、下方に底部が形成されて樋を形成する第４の小空間部とを有する第三空間枠部、板状材によって区割され前記受梁に固定されることになる第四空間枠部、並びに上方向に折り曲げられた部分およびこの部分が更に側方向に折り曲げられることによって頂上に第４の小空間部に隣接して第２の台座部が形成され、
第四空間枠部に保持される第２の抑え部および該抑え部と前記ガラス板の端部との間に設けられて前記ガラス板を押さえる第２の押え部を備え、
前記第２の台座部に第２のセッティングブロックが載置され、
前記ガラス板の端部が第３の小空間部に前記開口部を介して挿入され、第２セッティングブロック上に載置されて位置が設定される構造、前記ガラス板を押さえて、およびシール部形成空間を形成する第２の押え部が第２のセッティングブロックと前記ガラス板を介して対峙する形で設けられる構造、前記ガラス板の他の端部と、第２の抑え部と、第２の押え部とが一体に、前記固定部材となるシール材によって第２のシール部が形成されて固定密着される構造を有して、前記ガラス板が第２の抑え部と第２のセッティングブロック間を側方向に微小変位することを許容するようにしたこと
を特徴とする天窓を提供する。
【００１２】
また、本発明は、前記天窓において、該第２の押え部は複数の押えブロックからなって該押えブロック間に雨通路部が形成されることを特徴とする天窓を提供する。
【００１３】
また、本発明は、前記天窓において、前記ガラス板の一方とこれに並行配置される他方のガラス板とを接続する部分で使用される中間枠は、連続する板状材が側方向および上下方向に折り曲げられることによって形成され、下方に底部が形成されて樋を形成する第５の小空間部を有する第五空間枠部、板状材によって区割された第六空間枠部、並びに上方向に折り曲げられた部品およびこの部分が更に側方向に折り曲げられることによって頂上に、第５の小空間部に隣接して対峙する２つの台座部が形成され、
前記タテ枠によって保持される第３の抑え部および該第３の抑え部と、前記ガラス板の一方および他方の端部との間に設けられて、前記ガラス板を押さえる第３の押え部を備え、
前記２つの台座部を跨いで第３のセッティングブロックが載置され、
該第３のセッティングブロックの上に前記一方および他方のガラス板が載置されて位置が設定された構造、前記ガラス板を押さえて、およびシール部形成空間を形成する第３の押え部が第３のセッティングブロックと前記ガラス板を介して対峙する形で設けられる構造、前記一方および他方のガラス板と第３のセッティングブロックとが、一体に、シール材によって第３のシール部が形成されて固定密着される構造を有して、前記ガラス板が第３の抑え部と、第３のセッティングブロック間を側方向に微小変位することを許容すること
を特徴とする天窓を提供する。
【００１４】
また、本発明は、前記天窓において、該第３の押え部は複数の抑えブロックからなって該複数の押えブロック間に雨通路部が形成されることを特徴とする天窓を提供する。
【発明の効果】
【００１５】
本発明は、上述した構成をしており、水平に支持されたガラス板は、どの方向からの水平力に対しても常に微小変位を許すような状態にてシール部が構成されており、しかも連続した板状材を加工して使用するようにしているので、天窓の小口に雨水が入ることがなく、ガラス板の小口にひび割れあるいは過大な衝撃力が作用して破損することがない汎用性の高い天窓を提供することができる。また、本発明は板状材を折り曲げる工法によって枠体を形成しており、工法が容易で軽量かつ安価な汎用性のある天窓を提供することができる。
【発明を実施するための最良の形態】
【００１６】
以下、本発明の実施例を図面に基づいて説明する。
【実施例１】
【００１７】
図１は、大きさの異なる天窓１００の例を（ａ），（ｂ），（ｃ），（ｄ）の４例を示す平面図である。しかし、本実施例はこれらの例には限定されない。各例共、幅は同一とされているが長さが異なり、長さが長くなると複数枚のガラス板が使用される。これらの図において、１は枠体を示し、２は枠体を構成する天枠、３はタテ枠（対称に左右２つある）、４は下枠、５は中間枠（中サン）である。そして、６はガラス板である。
【００１８】
図１に示すように、天枠２、タテ枠３および下枠４からなる枠体１は方形状、例えば長方形状に配設され、後述するように、受梁に固定され、枠体１にはガラス板（例えばアミ入ガラス板）６が取り付けられて固定される。そして、雨水は矢印で示すように、ガラス板上を天枠２から下枠４の方向へと流れる。
【００１９】
図１の内容を図２から図４に詳細に示す。図２から図４に示す枠体１の場合は、ガラス板６が薄い通常の場合の例であり、図２は枠体１の天枠２およびタテ枠３の構造図、図３は同枠体１の下枠４の構造図および図４は同枠体１の中間枠の構造図である。
【００２０】
図２は、天枠２およびタテ枠３の構造図であるが、図１から判るように、天枠２の場合は側面から見た場合の図で、タテ枠３の場合は９０°回転して側面から見た場合の図であり、同一の構成のため１つの図面で説明する。タテ枠３にあっては、図１に示すように左右両側に設けられる。従って、天枠１を例に取って説明するが、タテ枠３にも適用され、タテ枠については天枠２をタテ枠３と読み替えるものとする。
【００２１】
天枠２は、連続する金属、例えばアルミの板状材が側方向および上下方向に折り曲げられることによって形成される。ここで側方向とはガラス板方向、すなわち枠体１を水平に置いたときの水平方向を示し、上下方向とは側方向に対する垂直方向を意味するが、変形が可能であり、側方向あるいは上下方向と見なし得る配置を含むものとして説明する。また、板状材としては凹形状横置である幅７５ｍｍ×高さ７０ｍｍ×厚さ１．６ｍｍの板材（枠材）が使用されるが、板状材であればこの形状に限定されない。
【００２２】
図２に示すように、天枠２は連続した板状材によってほぼ四角形をなし、その中に小さな他の四角形を有する一重の枠体形状体１１とされる。この枠体形状体１１は他の部材で製作してもよい。この場合、外側の大きな四角形状部を第二空間枠部２６と、そして内側の小さな四角形状部を第一空間枠部２５と呼ぶことにする。従って、図２から判るように、第一空間枠部２５と第二空間枠部２６は連続した板状材で形成されるものであり、第一空間枠部２５が第二空間枠部２６の中に包まれた構成で、板状材によって区割された構成となっている。第二空間枠部２６は、後述するように受梁に固着される枠としても機能する。
【００２３】
第二空間枠部２６は、ほぼ正方形状をなし、内部に空間２９を有し、下端部で板状材が結合された構成とされているが、この形状に限定されず、開放形状あるいは他部材を使用して閉形状とすることもできる。上端面および下端面は水平をなし、両側面は上下端面に対して９０°方向に垂直をなす。
【００２４】
第一空間枠部２５は最も重要な形状を構成する部分で第二空間枠部２６内に包まれて、すなわちその内部域に形成される構成とされ、上下方向に長い長方形状をなし、右方に開口部（窓）２７を有する。そして内部には空間３２が形成され、この空間３２は開口部２７に連通する。図２からも判るように、第一空間枠部２５の上下面および側方向面は第二空間枠部２６の上下面および側方向面と平行をなし、水平方向配置、垂直方向配置とされて荷重に対して強い剛性を有するものとなっている。
【００２５】
第一空間枠部２５には、側方向からガラス板６を側方向および上下方向に余裕を持って挿入されるようにした、すなわちガラス板６の奥までの挿入を許容した空間３２を備えた第１の小空間部３０およびこの第１の小空間部３０に連通し、すなわち一体的にされ、下方に底部が形成された第２の小空間部３１を有する。図では第１の小空間部３０と第２の小空間部３１とは、簡素化、強剛性とするために分割されない一体空間を有するように構成しているが、曲げた板状材によって分割されるようにしてもよい。「余裕を持って」とは、左右のタテ枠３および天枠２、下枠４を組み立てた後にガラス板６を嵌め込む時に、矢印で示すようにまず一方側にガラス板６の端部を差し入れ、次にガラス板６を設定長さを戻すことによって他方の枠に差し込れ、設定する工法を行うに際してガラス板６の端部が固定時の位置よりも内方に挿入されることを許容する程にという意味で使用する。従って、ガラス板６の側方向に端面から多少の間隙が有しているのみでは足らず、このような間隙は本実施例における余裕を持った空間を形成したということにはならない。このように、第１の小空間部３０は、ガラス板６が側方向および上下方向に余裕を持って開口部２７から挿入されることを許容するようにした開口部２７および内部に空間３２を備える。そして、第１の小空間部３０の開口部２７を形成する上面は側方向に折り曲げられた板状材によって形成されるが、この部分が押え部３３として、すなわちガラス板６の抑え機能部として形成される。
【００２６】
第１の小空間部３０は上下方向の２面と底面とによって内部に小空間２８を有するように形成されるが、このように下方に底部が形成されることによって雨水が流過する樋とすることができる。
【００２７】
第２の小空間部３１を形成するために上方向に折り曲げられた部分（右側面）およびこの部分が更に側方向に折り曲げられた部分が頂上部となる。この頂上に開口部２７に面して台座部３４が形成される。台座部３４は第２の小空間部３１に隣接し、上述した抑え部３３に対峙した配置となる。台座部３４を形成した板状材は直ちに上述の第二空間枠部２６を形成するために下方に折り曲げられる。すなわち、第２の小空間部３１を形成する上方に折り曲げられた板状材と第二空間枠部２６を形成する下方に折り曲げられた板状材との間には小さな空間３５が形成される。また、上述の抑え部３３と第二空間枠部２６との間には小空間３６が形成される。
【００２８】
以上のように、連続した板状材によって第一空間枠部２５、第二空間枠部２６、抑え部３３および台座部３４が一体的に形成され、抑え部３３、開口部２７および台座部３４は上下方向に一直線に並ぶ。このような状態で、台座部３４の上にセッティングブロック１４が載置され、固着される。セッティングブロック１４は側方向に配置され、台座部１４の樋よりもやや長く形成されたものが使用される。
【００２９】
このセッティングブロック１４上に開口部２７を介して挿入されたガラス板６が載置される。セッティングブロック１４と、ガラス板６との間は固着されず、載置されるものであり、セッティングブロック１４は、ガラス板６の側方向への微小変位を許容する。このようなセッティングブロック自体はよく知られている。
【００３０】
図２に示す天枠および左右のタテ枠は四角形状の３辺に配置され、下方向に後述する下枠１２が配置され、ガラス板は天枠および左右のタテ枠のいずれかに開口部２７を介して第1の小空間部３０の奥深くまで矢印で示す位置まで挿入して他方のタテ枠の開口部２７への挿入をし易くし、その後ガラス板６を戻してガラス板６の両端部をそれぞれタテ枠のセッティングブロックの上にかつガラス板の上側端を天枠のセッティングブロック上に載置し、最終的に位置決めを行う。このようにしてガラス板６の端部をセッティングブロック１４上にセットした（位置設定した）状態が図２に示されている。
【００３１】
図２に示すように、ガラス板６はセッティングブロック１４のみによってスライド可能に載置、保持される。このような構成によってガラス板６の微小変化を容易に許容する構成が提供されるが、この微小変化を防げない場合には他の部材を付加するようにしてもよい。
【００３２】
このようにガラス板６の端部をセッティングブロック１４上にセットした後に、ガラス板６の端をまたいだ形で４角形状の押えブロック（押え部）１７がガラス板６の端部と抑え部３３との間に嵌め込まれる。この押えブロックは、セッティングブロック１４よりは柔らかな弾性材質のもので製作されており、ガラス板６を押さえる機能と共に、シール材によってシール部を形成する時のシール部形成空間を形成する機能を有する。この例の場合、押えブロック１７は断面４角形状をなしているが、この形状には限定されず、例えば台形であっても構わない。形成されたシール部形成空間にシール材によるシール部２０が形成される。ガラス板６の端部と、抑え部３３と、押えの押えブロック１７とが一体に、全域に亘って固定部材となるシール材によってシール部形成空間にシール部２０を形成して３者を全域に亘って固定密着する構造が提供される。シール部２０は縦方向配置となり、かつ抑え部３３によって直下日光がさえぎられている。
【００３３】
以上のように、枠対の内の天枠２およびタテ枠３のそれぞれは、連続する板状材がガラス板方向である側方向および上下方向に折り曲げられることによって形成され、側方向からガラス板が側方向および上下方向に余裕を持って開口部２７から挿入されることを許容する空間を備えた第1の小空間部３０と、該第１の小空間部３０に連通し、下方に底部が形成されて樋を形成する第２の小空間部３１を有する第一空間枠部２５、板状材によって第一空間枠部から画割され受梁に固定されることになる第二空間枠部２６、側方向に折り曲げられた部分で形成される板状の抑え部３３、並びに上方向に折り曲げられた部分およびこの部分が更に側方向に折り曲げられることによって頂上に第２の小空間部３１に隣接し、抑え部３３に隣接した台座部３４が形成される。
【００３４】
また、前述の第1の小空間部３０、第２小空間部３１、開口部２７、第一空間枠部２５、第二空間枠部２６、抑え部３３および台座部２４を連続する板状材を使用しないで、枠体構造とすることによっても構成することが可能である。この場合、枠体形状体１１を枠体構造とする。従って、枠体の内の天枠２およびタテ枠３のそれぞれは、ガラス板方向である側方向および上下方向の部材が一体化された枠体形状体１１となり、この枠体形状体１１には、側方からガラス板６が側方向および上下方向に余裕を持って開口部２７から挿入されることを許容する空間を備えた第１の小空間部３０と、該第１の小空間部３０に連通し、下方に底部が形成された樋を形成する第２の小空間部３１を有する第一空間枠部２５、第一空間枠部２５から区割され、後述する受梁に固定されることになる第二空間枠部２６、側方の部材で形成される抑え部３３、並びに上方向（下方向と言っても同じである）の部材およびこの部材が側方向の部材に一体になることによって頂上に第２の小空間部３１に隣接し、抑え部３３に対峙した台座部３４が形成されることになる。
【００３５】
また、ガラス板６の端部がそれぞれの第１の小空間部３０に開口部２７を介して挿入され、セッティングブロック１４上に載置されて位置が設定された構造、ガラス板と抑え部３３との間にガラス板６の側方向への微小変位を許容し、ガラス板６を押え、およびシール部形成空間を形成する押え部（押えブロック１７）がセッティングブロック１４とガラス板６を介して対峙する形で設けられえる構造を有し、ガラス板６の端部と、抑え部３３と、押え部３３が一体に、固定部材となるシール材によってシール部形成空間にシール部２０を形成して固定密着する構造が構成される。
【００３６】
天枠２の枠体形状体１１とタテ枠３の枠体形状体は接合され、一体化される。この固定密着構造およびセッティングブロック１４上にガラス板６を固定することなく載置する手段は、ガラス板６の側方向への微小変位を許容することになる。そして、この構成は、従来のガラス板の両側にシール部を形成する手段と違って、下方側にセッティングブロック１４を、そして上側に対向して押えブロック１７を配置して保持する手段を採用しており、ガラス板６をよく保持すると共に、長年の使用によってもシール部２０が保護されているので、破損することがない。また、シール部２０は横向きシール部とされて抑え部３３によって直射光線が直接当たることが防止されており、従って抑え部３３は直射光線直接照射を防止する機能を有する。
そして、押え部１７は、前記セッティングブロックよりも弾性のある押えブロックで構成され、該押えブロックはガラス板６と押え部３３との間に嵌挿される。
【００３７】
図３は下枠４の構造図である。
下枠４が連続する板状材が側方向および上下方向に折り曲げられて形成されることは図２で説明したことと同じである。また、板状材以外の構造材を使用してもよい。１２は一重の枠体形状体を示す。板状材としては、角形状である。幅７５ｍｍ×高さ５４ｍｍ×厚さ１．６ｍｍの板材（枠材）が使用されるが、板状材であればこの形状に限定されない。
【００３８】
図３に示すように、下枠４は連続した板状材によってほぼ四角形をなし、その内方におよび外側に小さな空間を形成する一重の枠体形状とされる。この場合、外側の大きな四角形状部を第四空間枠部４６と、そして四方および外側に形成される小さな空間を第三空間枠部４５と呼ぶことにする。この第三空間枠部４５は、後述する抑え体５１の存在を考慮するとより明確なものとなる。従って、図３から判るように第三空間枠部４５と第四空間枠部４６は連続した板状材で形成されたものであり、第三空間枠部４５の一部が第四空間枠部４６の中に包まれた構成で、板状材によって区割された構成となっている。第四空間枠部４６は、後述するように受梁に固着される枠としても機能する。
【００３９】
第四空間枠部４６は、ほぼ正方形状をなし、円部に空間４９を有し、下端部で板状材が結合された構成となっているが、この形状に限定されず開放形状あるいは他の部材を使用して閉形状とすることもできる。上端面および下端面を水平になし、両側面に対して９０°方向に垂直をなす。
【００４０】
第三空間枠部４５は最も重要な形状を構成する部分である。
第三空間枠部４５の近くに止めビス５０に固定される抑え体５１が固着される。抑え体５１は、側方方向配置とされた板状の抑え板５２と押えブロック１８とから構成される。押えブロック１８は、板状の抑え板の下方に接触して置かれる。図２の例にあっては、抑え部３３は板状材によって形成されたが、図３に示す例にあっては抑え板５２によって構成される抑え部は、板状材と別の材料によって構成され、機能は同一である。
【００４１】
第三空間枠部４５は、第四空間枠部４６と、別体の抑え体５１によっても構成されるが、機能は図２に示す第一空間枠部３０と同じである。従って、第三空間枠部４５は第四空間枠部４６と抑え体５１内に包まれて、すなわち内部域に形成される構成とされ、上下方向に長い長方形状をなし、左方に、すなわち図２に示す開口部２７に側方向で対向する形で開口部（窓）５３を有する。そして内部には空間５４が形成され、この空間５４は開口部５３に連通する。図３からも判るように、第三空間枠部４５の下面および側方向面は第四空間枠部４６の上下面および側方向面と平行をなし、水平方向配置、垂直方向配置とされて荷重に対して強い剛性を有するものとなっている。
【００４２】
第三空間枠部４５には、図２に示すと同様に、側方向からガラス板６を側方向および上下方向に余裕を持って挿入されるようにした。すなわちガラス板６を奥までの挿入を許容した空間を備えた第３の小空間部６０およびこの第３の小空間部６０に連通し、すなわち一体的にされ、下方に底部が形成された第４の小空間部６１を有する。図では第３の小空間部６０と第４の小空間部６１とは簡素化、強剛性とするために分割されない一体空間を有するように構成しているが、曲げた板状材によって分割されるようにしてもよい。第３の小空間部６０は、ガラス板６が側方向および上下方向に余裕を持って開口部５３から挿入されることを許容するようにした開口部５３および内部に空間５４を備える。そして、第３の小空間部６０の開口部５３を形成する上面は抑え体５１の抑え板５２によって形成されるが、この部分が抑え部５５として、すなわちガラス板６の抑え機能部として作用する。
【００４３】
第３の小空間部６０は上下方向の２面と底面とによって内部に小空間を有するように形成されるが、このように下方に底部が形成されることによって小樋（溝，樋）とすることができる。
【００４４】
第４の小空間部６１と形成するために上方向に折り曲げられた部分が更に側方向に折り曲げられた部分が頂上部となる。この頂上に開口部５３に面して他の台座部６４が形成される。この台座部６４は第４の小空間部６１に隣接し、上述した抑え部５５（他の抑え部）に対峙した配置となる。台座部６４を形成した板状材は直ちに上述の第四空間枠部４６を形成するために下方に折り曲げられる。すなわち第４の小空間部６１を形成する上方に折り曲げられた板状材と第四空間枠部４６を形成する下方に折り曲げられた板状材との間には小さな空間６５が形成される。
【００４５】
以上のように、連続した板状材によって第三空間枠部４５、第四空間枠部４６および他の台座部６４が一体的に形成され、また上述の第三空間枠部４５を形成するためにこの第三空間枠部４５に固定された抑え体５１が付加されている。
【００４６】
抑え板５２による抑え部、開口部５３および他の台座部６４は上下方向に一直線に並ぶ。このような状態で、他の台座部６４の上にセッティングブロック（第２のセッティングブロック）１５が載置され、固着される。セッティングブロック１５は側方向に配置され、台座部６４の幅よりもやや長く形成したものが使用される。
【００４７】
このセッティングブロック１５上に開口部５３を介して挿入されたガラス板６が載置される。ガラス板６は、まず上述の天枠１１の開口部２７もしくは下枠１２の開口部５３を介して挿入されるが、ガラス板６をまず下枠１２の開口部５３を介して挿入する場合、第３の小空間部６０の奥深くまで挿入して他方の天枠１１の開口部２７への挿入をし易くし、その後ガラス板６を戻してガラス板６の両端部をそれぞれ下枠１２および天枠１１のセッティングブロック６４，３４上に載置し、最終的に位置決めを行う。このようにしてガラス板６の端部をセッティングブロック６４上にセットした状態が図３に示されている。
【００４８】
このように、ガラス板６の端部をセッティングブロック６４上にセットした後に、ガラス板６の端をまたいだ形で４角平板形状の挿入ブロック（押え部）１８がガラス板６の端部と押え板５２の抑え部との間に嵌め込まれる。この場合に、押えブロック１８の一部は第三空間枠部４６の上面上側にも接触する。この例ではガラス板６を位置決めした後に押えブロック１８を嵌め込むようにしているが、予めブロック１８を抑え板５２に取り付けておいてからガラス板６を挿入するようにすることも可能である。この押えブロック６４は、セッティングブロック６４よりは柔らかな弾性材質のもので製作されており、ガラス板６を押さえる機能と共に、シール材によってシール部を形成する機能を有する。この例の場合、押えブロック１８は４角平面形状をなしているが、この形状には限定されず、例えば台形状であっても構わない。
【００４９】
形成されたシール部形成空間を含む押えブロック１８の全周にわたってシール材によるシール部２１が形成される。ガラス板６の端部と、抑え板５２の抑え部と押えの押えブロック１８とが一体に、固定部材となるシール材によってシール部形成空間にシール部２１の形成を形成して３者を固定密着する構造が提供される。また、シール部２１の一部は、抑え板５２の抑え部、押えの押えブロック１８、および第四空間枠部４６の上側上面とを一体にシールする。
【００５０】
この構造の提供に当っては、下枠１２であること、すなわち雨水が天枠１１方向からガラス板６上とを流れ下ってくることに対する対応が必要とされる。このため、押えブロック１８は全域に亘って設けられるのではなく、複数の押えブロック１８を間隔を置いて配置したものとされ、これに伴なってシール部２１も複数のシール部からなって間隔を置かれたものとなる。これらのシール部間の間隔が雨の通路部とされる。雨の通路部を流れる雨が第三の空間枠部４５に流れ込まないようにガラス板６の端面と第三空間枠部４５の内面との間には全域に亘ってシール材によるシール部２３が形成される。
【００５１】
以上のようにガラス板６の端部が第３の小空間部６０に開口部５３を介して挿入され、第２セッティングブロック１５上に載置されて位置が設定される構造、ガラス板６を押さえて、およびシール部形成空間を形成する第２の押え部１８が第２のセッティングブロック１５とガラス板６を介して対峙する形で設けられる構造、ガラス板６の他の端部と、第２の抑え部と、第２の押え部とが一体に、前記固定部材となるシール材によって第２のシール部が形成されて固定密着される構造が提供される。この下枠３は、タテ枠３との枠体形状同士が接合され一体化される。
【００５２】
この固定密着構造、シール部２３およびセッティングブロック６４上にガラス板６を固定することなく載置する手段は、ガラス板６の側方向への微小変位を許容することになる。そして、この構成は、図１に示す構造のものと同一に、従来のガラス板の両側にシール部を形成する手段と違って、下方側にセッティングブロック６４を、そして上側に対向して押えブロック１８を配置して保持する手段を採用しており、ガラス板６をよく保持すると共に、長年の使用によってもシール部２１，２３が保護されているので、破損することがない。また、シール部２１は横向きシール部とされ、抑え板５２によって直射光線が直接当ることに防止されており、従って抑え板５２は抑え部形成機能とシール部２１への直射光線直接照射を防止する機能を有する。
【００５３】
図４は、中間枠５の構造図である。
中間枠（中サン）５が連続する２つの板状材が側方向および上下方向に折り曲げられて形成されることは図２、図３で説明したことと同じである。１３は枠体形状体を示す。板状材は、角形状である幅５０ｍｍ×高さ５４ｍｍ×厚さ１．６ｍｍの板材（枠材）が使用されるが板状材であればこの形状に限定されない。
【００５４】
図４に示すように、中間枠５は２つの連続した板状材によってほぼ四角形をなし、その内方におよび外側に小さな空間を形成する一重の枠体形状とされる。２つの板状材は図に示すように下方向の折り曲部で連続されて一体とされ、連続したものとなる。この場合、外側の大きな四角形状部を第六空間枠部７６と、そして内方および外側に形成される小さな空間を第五空間枠部７５と呼ぶことにする。この第五空間枠部７５は、後述する抑え体８１（第２の抑え体）の存在を考慮することにより明確なものとなる。従って、図４から判るように、第五空間枠部７５と第六空間枠部７６とは連続した板状材で形成されたものであり、第五空間枠部７５の一部が第六空間枠部７６の中に包まれた構成で、板状材によって区割された構成となっている。図２、図３に示す例とは違って第六空間枠部７６は受梁に固着されることはなく、従って第二空間枠部２６および第四空間枠部４６に比べて小形形状とされる。
【００５５】
第六空間枠部７６は、ほぼ正方形状をなし、円部に空間７９を有し、２ヶ所で板状材が結合された構成となっているが、この形状に限定されず、開放形状あるいは他の部材を使用して閉形状とすることもできる。上端面および下端面は水平をなし、両側面は上下端面に対して９０°方向に垂直をなす。第五空間枠部７５は最も重要な形状を構成する部分である。
【００５６】
第五空間枠部７５の近くに止めビス７０に固定される抑え部７１が固着される。抑え体７１は、側方方向配置とされた板状の抑え板７２と押えブロック１９とから構成される。押えブロック１９は、板状の抑え板の下方に接触して置かれる。
【００５７】
図２の例では、抑え部１３３は板状材によって形成されたが、図４に示す例にあっては抑え部１３３は、抑え板７２によって構成され、抑え部は板状材と別の材料によって構成され、機能は同一である。
【００５８】
第五空間枠部７５は、第六空間枠部７６と、別体の抑え体７１によっても構成されるが、機能は図２に示す第一空間枠部３０と同じである。
従って、第五空間枠部７５は第六空間枠部７６と抑え体７１内に包まれて、すなわち内部域に形成される構成とされ、上下方向に長い長方形状をなし、左方に、すなわち図２に示す開口部２７および図３に示す開口部５３に側方向で対向する形で開口部（窓）７３を有する。そして内部には空間７４が形成され、この空間７４は開口部７３に連通する。図４からも判るように、第五空間枠部７５の下面および側方向面は第六空間枠部４６の上下面および側方向面と平行をなし、水平方向配置、垂直方向配置とされて荷重に対して剛性を有するものとなっている。
【００５９】
第五空間枠部７５には側方向からガラス板６を側方向および上下方向に余裕を持って挿入されるようにした。すなわちガラス板６を奥中央までの挿入を許容した空間を備えた第５の小空間部８０およびこの第５の小空間部８０に連通し、すなわち一体的にされ、下方に底部が形成された第６の小空間部８１を有する。図では第５の小空間部８０と第６の小空間部８０と第６の小空間部８１とは簡素化、強剛性とするために分割されない一体空間を有するように構成しているが、曲げた板状材によって分割されるようにしてもよい。第５の小空間部８０は、ガラス板６が側方向および上下方向に余裕を持って開口部７３から挿入されることを許容するようにした開口部７３および内部に空間７４を備える。そして、第５の小空間部８０の開口部７３を形成する上面は抑え体７１の抑え板７２によって形成されるが、この部分が抑え部として、すなわちガラス板６の抑え機能部として作用する。
【００６０】
第５の小空間部８０は上下方向の２面と底面とによって内部に小空間を有するように形成されるが、このように下方に底部が形成されることによって小樋（呼樋溝，樋）とすることができる。
【００６１】
第６の小空間部８１と形成するために上方向に折り曲げられた部分（左側面）およびこの部分が更に側方向に折り曲げられた部分で第六空間枠部７６の上面が頂上部となる。この頂上に開口部７３に面して２７の台座部８４が形成される。この台座部８４は第６の小空間部８１に隣接し、上述した抑え部１３３（第３の抑え部）に対峙した配置となる。
【００６２】
以上のように、連続した板状材によって第五空間枠部７５、第六空間枠部７６および２つの台座部８４が一体的に形成され、また上述の第五空間枠部７５を形成するためにこの第五空間枠部７５に固定された抑え体７１が付加されている。
【００６３】
抑え板７２による抑え部、開口部７３および２つの台座部８４は上下方向に一直線に並列した２つの直線で一直線に並ぶ。このような状態で、２つの台座部８４の上にこれらをまたぐようにしてセッティングブロック（第３のセッティングブロック）１６が載置され、固着される。セッティングブロック１６は側方向に配置され、２つの台座部８４の幅よりもやや短く形成したものが使用される。
【００６４】
このセッティングブロック１６上に開口部７３を介して挿入されたガラス板６が載置される。ガラス板６は、まず上述の天枠１１の開口部７３もしくは下枠１２の開口部７３を介して挿入されるが、ガラス板６をまず下枠１２の開口部７３を介して挿入する場合、第５の小空間部８０の奥深くまで挿入して開口部７３への挿入をし易くし、その後ガラス板６を戻してガラス板６の両端部をそれぞれセッティングブロック８４上に載置し、最終的に位置決めを行う。このようにしてガラス板６の端部をセッティングブロック８４上にセットした状態が図４に示されている。
【００６５】
このように、ガラス板６の端部をセッティングブロック８４上にセットした後に、ガラス板６の端をまたいだ形で４角平板形状の押えブロック（押え部）１９がガラス板６の端部と抑え板７２の抑え部１３３との間に嵌め込まれる。この例ではガラス板６を位置決めした後に押えブロック１９を嵌め込むようにしているが、予めブロック１９を抑え板７２に取り付けておいてからガラス板６を挿入するようにすることも可能である。この押えブロック１９は、セッティングブロック８４よりは柔らかな弾性材質のもので製作されており、ガラス板６を押さえる機能と共に、シール材によってシール部を形成する時のシール部形成空間を形成する機能を有する。この例の場合、押えブロック１９は４角平面形状をなしているが、この形状には限定されず、例えば台形状であっても構わない。
【００６６】
形成されたシール部形成空間を含む押えブロック１９の全周にわたってシール材によるシール部２２が形成される。ガラス板６の端部と、抑え板７２の抑え部１３３と押えの押えブロック１９とが一体に、固定部材となるシール材によってシール部形成空間にシール部２２の形成を形成して３者を固定密着する構造が提供される。
【００６７】
この構造の提供に当っては、中間枠１３であること、すなわち雨水が天枠１１方向からガラス板６上を流れ下ってくることに対する対応が必要とされる。このため、押えブロック１９は全域に亘って設けられるのではなく、複数の押えブロック１９を間隔を置いて配置したものとされ、これに伴なってシール部２２も複数のシール部からなって間隔を置かれたものとなる。これらのシール部間の間隔が雨の通路部とされる。雨の通路部を流れる雨が第五空間枠部７５に流れ込まないようにガラス板６の両端面との間には全域に亘ってシール材によるシール部２４が形成される。
【００６８】
以上のように、第３のセッティングブロック１６の上に一方および他方のガラス板６が載置されて位置が設定された構造、ガラス板６を押さえて、およびシール部形成空間を形成する第３の押え部１９が第３のセッティングブロック１６とガラス板６を介して対峙する形で設けられる構造、一方および他方のガラス板と第３のセッティングブロック１６とが、一体に、シール材によって第３のシール部２２が形成されて固定密着される構造が提供される。この中間枠５はタテ枠３との枠体形状体同士が接合され一体化される。
【００６９】
この固定密着構造、シール部２４およびセッティングブロック８４上にガラス板６を固定することなく載置する手段は、ガラス板６の側方向への微小変位を許容することになる。そして、この構成は、図１に示す構造のものと同様に、従来のガラス板の両側にシール部を形成する手段と違って、下方側にセッティングブロック３４を、そして上側に押えブロック１９を配置して保持する手段を採用しており、ガラス板は縮小変形に対応できるようによく保持されており、長年の使用によってもシール部２１、２３が保護されているので、破損することがない。また、シール部２２は横向きシール部とされ、抑え板７２によって直射光線が直接当ることが防止されており、従って抑え板７２は抑え部形成機能とシール部２２への直射光線直接照射を防止する機能を有する。
【００７０】
図２、図３および図４において形成された第一空間枠部３１、第三空間枠部６１および第五空間枠部８１はそれぞれ樋としての機能を有する。図２、図３および図４に示す各枠体にあっては雨水が各開口部２７、５３、７３から入ってくることはないが、何等の都合が雨水が入って来た場合の対策として設けられる。すなわち、シール部が何かの事故で切れたり、劣化した場合に、天窓から室内への雨もりを防ぐために安全装置として作用するものである。
【００７１】
図５は、図２に示すタテ枠３の受梁９１への取り付け構造取り付け工法を示す図である。タテ枠３は左右２ヶ所にあってそれぞれ受梁９１に取り付けられるが、図５は左方側の取り付け構造を示しており、右方側のタテ枠３は１８０°回転した状態で受梁に取り付けられる。また、天枠２、下枠４の受梁への取り付けも図５に示すと同様である。
【００７２】
図５において、図２に示すタテ枠３は、受梁９１に支持ビスヘックス９２によって取り付けられ、固定される。すなわち第二空間枠部２６が支持ビスヘックス９２によって受梁９１に固定される。受梁９１に近接して折り板９３にへこみ部９４が形成され第二空間枠部２６に対して間隔をおいて設けてある。このへこみ部９４の上面であって第二空間枠部２６との間にバックアップ材９６が設けてあり、第二空間枠部２６と、バックアップ材９６と、へこみ部９４の上面との間にコーキング部が形成される。へこみ部９４の入口部には水切９８が設けられる。これらの取り付けを現場にて順序よく行うことによって工場で一体成形体とされたタテ枠３は屋根の受梁９１に固定されることになる。このように、工場で製作された天窓１００を簡単工法によって受梁９１に簡便、容易に取り付けることができる。
【００７３】
図６から図８は雨水の排水構造、排水方法を示す図であり、図６は、タテ枠３と下枠４との接合部における排水構造一部平面図、図７はその側面図およびず８はその立面図を示す。これらの図において、タテ枠３には天枠２から下枠４に向けて第一空間枠部３１によって形成された樋１０１が配設され、この樋１０１には天枠２の第一空間枠部３１によって形成された他の樋が連通される。
【００７４】
また、この樋１０１にはその途中において第五空間枠部８１によって形成された樋（図示せず）が連通される。従って、万一雨水が第一空間枠部３１あるいは第五空間枠部８１に漏れて来たような場合には樋１０１に漏水は導かれて流下することになる。
【００７５】
樋１０１の最下位部は下枠３の樋１０２（第三空間枠部６１によって形成される）に合体、連通しており、樋１０２を流れて来た水と合流する。下枠３は他の下枠３´と一体とされており、上述した合体した樋は下枠３´に設けた樋１０２´に合体、連通する。
【００７６】
樋１０２´は外部に設けた水落（１０３に連通しており、ここから屋根外部へと導出される。
【実施例２】
【００７７】
図９から図１１は実施例２の構造を示す図であり、図９は実施例１の図２に、図１０は図３に、そして図１１は図３に対応する。
【００７８】
実施例２は、実施例１と実質的に同一であり、同一の構成には同一の番号が付してあり、実施例１の説明を援用するものとし、また図６から図８についても援用するものとする。実施例２が実施例１と異なる事項は、ガラス板６が厚めのものが使用されていることである。これに伴なって図９、図１０、図１１において図２、図３、図４とは少しずつ構成に相違が生ずる。図９における相違点は、開口部２７の大きさがガラス板６の厚さに対応して大きくなっている。また、他の構造も大きくなっている。図１０における相違点は、シール部２３の下方にシール部２３に接してバックアップ材１１１がガラス板６と第四空間枠部４６の外表面との間に設けられ、バックアップ材１１１がシール部２３の保持を助けていることにある。
【００７９】
図１１における相違点は、シール部２４の下方にシール部２４に接してバックアップ材１１２がガラス板６の両端面に設けられ、バックアップ材１１２がシール部２４の保持を助けていることにある。
【００８０】
本実施例によれば、上述した構造を備えており、水平に支持されたガラス板６は、どの方向からの水平力に対してでも常に微小変位を許すような状態にしてシール部が構成されており、しかも連続した板状材を加工して使用しているので、天窓の小口に雨水が入ることなく、ガラス板の小口に設けるシール部にひび割れあるいは過大な衝撃力が作用して破損することがなく、従ってガラス板に対しても破損することがなく、かつ工法が容易で安価にして汎用性の高い天窓を提供することができる。更に、実施例は単数ガラス板ばかりでなく複数枚のペアガラス板にも適用することができる。また、本実施例の天窓は折板、瓦棒、コロニアル等の各種の屋根に適用可能であり、曲面屋根にも使用することができる。従って、本実施例によれば、日本建築学会の建築工事標準仕様書ガラス工事ＪＡＳＳ１７を満足する天窓を提供することができる。
【００８１】
また、本実施例は、図１、図２．図３あるいは図９、図１０、図１１に示す構成をしており、高精度、高品質にして工場完成品とすることができ、現場取付工期が超短縮されて格安の天窓を提供することができる。
【００８２】
また、本実施例は、ステンレスやチタン材質の超高級品材料を使用して高級な天窓とすることができる。
【図面の簡単な説明】
【００８３】
【図１】本発明の実施例の各種天窓の概略構成を示す図。
【図２】本発明の実施例の構造を示す図。
【図３】本発明の実施例の他部の構造を示す図。
【図４】本発明の実施例の他部の構造を示す図。
【図５】本発明の実施例の受梁への取付構造を示す図。
【図６】雨水の排水構造の平面図。
【図７】図６の側面図。
【図８】図６の立面図。
【図９】本発明の他の実施例の構造を示し、図２に対応する図。
【図１０】本発明の他の実施例の構造を示し、図３に対応する図。
【図１１】本発明の他の実施例の構造を示し、図４に対応する図。
【符号の説明】
【００８４】
２…天枠、３…タテ枠、４…下枠、５…中間枠（中サン）、６…ガラス板、１１，１２，１３…枠体形状体、１４，１５，１６…セッティングブロック、１７，１８，１９…押え部、２０，２１，２２，２３，２４…シール部、２５…第一空間枠部、２６…第二空間枠部、２７…開口部、３０…第１の小空間部、３１…第２の小空間部、３３…押え部、３４…台座部、４５…第三空間枠部、４６…第四空間枠部、５１…抑え体、５２…抑え板、５３…開口部、６０…第３の小空間部、６１…第４の小空間部、６４…台座部（第２台座部）、７１…抑え体、７２…抑え板、７３…開口部、７５…第五空間枠部、７６…第六空間枠部、８０…第５の小空間部、８１…第６の小空間部、８４…台座部、１００…天窓。
【図１】
2008014024.tif 000003
【図２】
2008014024.tif 000004
【図３】
2008014024.tif 000005
【図４】
2008014024.tif 000006
【図５】
2008014024.tif 000007
【図６】
2008014024.tif 000008
【図７】
2008014024.tif 000009
【図８】
2008014024.tif 000010
【図９】
2008014024.tif 000011
【図１０】
2008014024.tif 000012
【図１１】
2008014024.tif 000013